(57)【特許請求の範囲】
【請求項１】
上下方向を向く左右の側杆及び該左右の側杆の上端同士を連結する横杆を有する背フレームと、該背フレームにおける前記横杆及び前記側杆がそれぞれ挿通される筒状部を有する弾性変形可能な張り材と、前記背フレームの前記左右の側杆に上下方向へ摺動可能に嵌合された状態で前記張り材の下端部が固定または上方へ抜け止め可能に係合されるとともに、適宜の固定手段をもって、前記左右の側杆に固定される下部フレームとを備え、
前記下部フレームを下方へ移動させて前記固定手段により前記左右の側杆に固定することによって、前記張り材を前記背フレームと前記下部フレームに緊張状態で張設させるようにしたことを特徴とする椅子の背凭れ。
【請求項２】
張り材の下端部を下部フレームに係合させる構成として、前記張り材の下端部に、左右方向を向く筒状止着部を設け、また下部フレームの左右方向中央部に、上下方向に貫通するスリットを設け、前記筒状止着部を前記スリットに貫通させた状態で、前記スリットの開口幅よりも幅広で、前記下部フレームに係合可能な係合部材を、前記スリットから突出した前記筒状止着部に挿入してなるものとした請求項１記載の椅子の背凭れ。
【請求項３】
下部フレームにおけるスリットの下部に、係合部材が嵌入する凹部を設けてなる請求項２記載の椅子の背凭れ。
【請求項４】
上下方向を向く左右の側杆及び該左右の側杆の上端同士を連結する横杆を有する背フレームと、該背フレームにおける前記横杆及び前記側杆がそれぞれ挿通される筒状部を有する弾性変形可能な張り材と、前記背フレームの前記左右の側杆に上下方向へ摺動可能に嵌合され、かつ適宜の固定手段をもって、前記左右の側杆に固定される下部フレームと、前記下部フレームを前記固定手段により前記側杆に固定した状態で、前記張り材の下端部を前記下部フレームに固定することによって、前記張り材を前記背フレームと前記下部フレームに緊張状態で張設させるようにした緊張手段とを備えたことを特徴とする椅子の背凭れ。
【請求項５】
緊張手段を、張り材の下端部に設けられた左右方向を向く筒状止着部に板状部材を挿入した状態で、前記張り材の下部が前記下部フレームに設けた凹部の縁及び奥部に当接するように、前記板状部材を前記下部フレームの前記凹部内に固定するもとした請求項４記載の椅子の背凭れ。
【請求項６】
張り材を、弾性変形可能なメッシュ状の材料とした請求項１〜５のいずれかに記載の椅子の背凭れ。
【発明の詳細な説明】
【０００１】
【発明の属する技術分野】
本発明は、背フレームに、弾性変形可能な張り材を張設してなる椅子の背凭れに関する。
【０００２】
【従来の技術】
従来の上述のような椅子の背凭れでは、張り材の周縁を、背フレームの外形に合わせて内側に折り込み、この状態で、合成樹脂材料等によって形成された止め材を、張り材の周縁とともに背フレームに嵌合させることにより、張り材を背フレームに張設している。
【０００３】
【発明が解決しようとする課題】
しかし、上述のような従来の椅子の背凭れにおいては、張り材の外周を均等に引っ張った状態で、止め材を背フレームに嵌合しないと、張り材に弛みが発生するおそれがあり、張り材の張設作業は極めて面倒なものであった。
【０００４】
本発明は、従来の技術が有する上記のような問題点に鑑み、弾性変形可能な張り材を、弛みがでないように、簡単かつ確実に張設することができる椅子の背凭れを提供することを目的としている。
【０００５】
【課題を解決するための手段】
本発明によると、上記課題は、次のようにして解決される。
（１）上下方向を向く左右の側杆及び該左右の側杆の上端同士を連結する横杆を有する背フレームと、該背フレームにおける前記横杆及び前記側杆がそれぞれ挿通される筒状部を有する弾性変形可能な張り材と、前記背フレームの前記左右の側杆に上下方向へ摺動可能に嵌合された状態で前記張り材の下端部が固定または上方へ抜け止め可能に係合されるとともに、適宜の固定手段をもって、前記左右の側杆に固定される下部フレームとを備え、前記下部フレームを下方へ移動させて前記固定手段により前記左右の側杆に固定することによって、前記張り材を前記背フレームと前記下部フレームに緊張状態で張設させる。
【０００６】
（２）上記(１)項において、張り材の下端部を下部フレームに係合させる構成として、前記張り材の下端部に、左右方向を向く筒状止着部を設け、また下部フレームの左右方向中央部に、上下方向に貫通するスリットを設け、前記筒状止着部を前記スリットに貫通させた状態で、前記スリットの開口幅よりも幅広で、前記下部フレームに係合可能な係合部材を、前記スリットから突出した前記筒状止着部に挿入してなるものとする。
【０００７】
（３）上記(２)項において、下部フレームにおけるスリットの下部に、係合部材が嵌入する凹部を設ける。
【０００８】
（４）上下方向を向く左右の側杆及び該左右の側杆の上端同士を連結する横杆を有する背フレームと、該背フレームにおける前記横杆及び前記側杆がそれぞれ挿通される筒状部を有する弾性変形可能な張り材と、前記背フレームの前記左右の側杆に上下方向へ摺動可能に嵌合され、かつ適宜の固定手段をもって、前記左右の側杆に固定される下部フレームと、前記下部フレームを前記固定手段により前記側杆に固定した状態で、前記張り材の下端部を前記下部フレームに固定することによって、前記張り材を前記背フレームと前記下部フレームに緊張状態で張設させるようにした緊張手段とを備えるものとする。
【０００９】
（５）上記(４)項において、緊張手段を、張り材の下端部に設けられた左右方向を向く筒状止着部に板状部材を挿入した状態で、前記張り材の下部が前記下部フレームに設けた凹部の縁及び奥部に当接するように、前記板状部材を前記下部フレームの前記凹部内に固定するもとする。
【００１０】
（６）上記(１)〜(５)項のいずれかにおいて、張り材を、弾性変形可能なメッシュ状の材料とする。
【００１１】
【発明の実施の形態】
以下、本発明の一実施形態を、図１〜図９に基づいて説明する。
図１は、本発明の一実施形態を備える椅子を斜め前方から見た椅子の斜視図、図２〜図４は、背凭れの各組み付け作業工程を示し、斜め後方から見た背凭れの斜視図である。
【００１２】
椅子(１)は、椅子本体の骨組みを形成する脚フレーム(２)と、脚フレーム(２)の後部に、左右方向の下部フレーム(３)を介して固定されている背フレーム(４)と、背フレーム(４)に張設される張り材(５)と、脚フレーム(２)に固定されている座部(６)とを備えている。
【００１３】
脚フレーム(２)は、金属の丸パイプ材を曲げ加工して形成された側面視ほぼ後向きＬ字状の左右の脚部(７)と、左右の脚部(７)の上端部から後方へ向けて折曲され、側面視ほぼ逆Ｕ字状に浅く湾曲する左右の肘掛け部(８)とを有し、左右の肘掛け部(８)の後部には、下方を向く連結部(９)が形成されている。座部(６)は、左右の脚部(７)間に架設された支持杆(10)上に載置して固定されている。
【００１４】
背フレーム(４)は、金属の丸パイプ材を曲げ加工して、正面視ほぼ逆Ｕ字状に形成され、上下方向を向く左右の側杆(11)と、左右の側杆(11)の上端部同士を連結する左右方向の横杆(12)とを有している。
【００１５】
張り材(５)は、弾性変形可能な糸状の合成樹脂材をメッシュ状に編んだもので、背フレーム(４)に張設される背支持面(5a)の上縁及び左右の側縁には、背フレーム(４)が挿通される筒状部(13)が、また背支持面(5a)の下端部には、左右方向へ貫通する筒状止着部(14)が、それぞれ形成されている。筒状止着部(14)が、後述のように、下部フレーム(３)に係合され、かつ下部フレーム(３)が背フレーム(４)に固定されることにより、張り材(５)は、所定の緊張状態で背フレーム(４)に張設される。
【００１６】
なお、背フレーム(４)を張り材(５)の筒状部(13)に挿通して、張り材(５)を背フレーム(４)に張設した状態において、左右の側杆(11)は、図２に示すように、筒状部(13)から所定量突出しうる長さを有している。
【００１７】
下部フレーム(３)は、硬質の合成樹脂またはアルミニウム合金等を成形してなり、左右の両端に設けられた固定部(15)には、複数のねじ(16)をもって、脚フレーム(２)における左右の連結部(９)が固定されている。
【００１８】
また、下部フレーム(３)における左右の固定部(15)の近傍には、上下方向に貫通し、背フレーム(４)における左右の側杆(11)の下部（張り材(５)の筒状部(13)から突出した部分）が摺動可能に嵌合される嵌合孔(17)が、また同じく左右方向中央部には、上下方向に貫通する矩形のスリット(18)が、それぞれ設けられている。
【００１９】
スリット(18)の左右方向の幅は、張り材(５)における筒状止着部(14)の左右方向の幅とほぼ同一寸法となっている。また、スリット(18)の下部には、図６〜図９に示すように、下部フレーム(３)の下部側が開口し、かつスリット(18)の前後幅より幅広の凹部(19)が連設されている。
【００２０】
(20)は、張り材(５)の筒状止着部(14)に挿入される円柱状の係合部材で、スリット(18)の開口幅より幅広で、かつ凹部(19)内に嵌合される大きさを有している。
【００２１】
次に、張り材(５)の張設作業について、詳細に説明する。
背フレーム(４)における左右いずれかの側杆(11)の下端を、張り材(５)における筒状部(13)の一方の出口側から挿入して、他方の出口側へ突き出し、張り材(５)を、図２に示すように、背フレーム(４)に取り付ける。
【００２２】
この状態において、背フレーム(４)における左右の側杆(11)を、下部フレーム(３)の嵌合孔(17)に嵌入し、下部フレーム(３)全体を上方へ移動させつつ、筒状止着部(14)を扁平にした状態（図６に示す）で、下部フレーム(３)のスリット(18)に差し込み、凹部(19)から下方へ引っ張り出す（図３及び図７に示す）。
【００２３】
下部フレーム(３)の凹部(19)から引っ張り出した筒状止着部(14)に、係合部材(20)を左右方向から挿入した後（図８に示す）、下部フレーム(３)全体を左右の側杆(11)に沿って下方へ移動させる。これにより、筒状止着部(14)に挿入された係合部材(20)は、凹部(19)に嵌入するとともに係合段部(19a)に係合し（図９に示す）、張り材(５)全体は、下方に引っ張られて緊張状態となる（図４に示す）。
【００２４】
この状態で、固定手段としてのねじ(21)を、左右の下部フレーム(３)の固定部(15)に設けたねじ孔(15a)に螺合して、下部フレーム(３)を背フレーム(４)における左右の側杆(11)に固定する。これにより、張り材(５)は、所定の緊張状態をもって、背フレーム(４)及び下部フレーム(３)に張設される。
【００２５】
上述のように、背フレーム(４)に張り材(５)及び下部フレーム(３)を取り付けた状態で、下部フレーム(３)の左右の固定部(15)を、ねじ(16)をもって、脚フレーム(２)の連結部(９)に固定することにより、背フレーム(４)は、脚フレーム(２)の連結部(９)、すなわち座部(６)の後側に支持される。
【００２６】
図１０〜図１６は、本発明の他の実施形態を示す。
この実施形態における下部フレーム(22)における両端及びその近傍には、前記実施形態と同様の固定部(15)及び嵌合孔(17)が、また同じく左右方向の中央前面には、主に図12に示すように、矩形状の凹部(23)が、それぞれ設けられている。凹部(23)の左右方向の幅は、張り材(５)における背支持面(5a)の下部中央に設けられた筒状止着部(24)の左右方向の寸法より僅かに幅広となっている。
【００２７】
前記実施形態と同様に、張り材(５)を背フレーム(４)に張設した状態（図10に示す）で、背フレーム(４)における左右の側杆(11)を、下部フレーム(22)の嵌合孔(17)に嵌合し（図11に示す）、ねじ(21)をもって、左右側杆(11)の下部における所定位置に固定する。
【００２８】
次いで、筒状止着部(24)を、下部フレーム(22)の後側から、下方を通して前側に折り返し（図12に示す）、板状の係合部材(25)を筒状止着部(24)に挿入する（図13及び図１４に示す）。
【００２９】
この状態で、係合部材(25)とともに筒状止着部(24)を、下部フレーム(22)の凹部(23)内に嵌合し（図15に示す）、後方を向くねじ(26)を、筒状止着部(24)及び係合部材(25)に設けられた孔(24a)(25a)に挿入し、下部フレーム(22)に埋め込まれたナット(27)に螺合して締め付け、筒状止着部(24)を凹部(23)の奥部に当接させる。
【００３０】
これにより、図16に示すように、筒状止着部(24)が係合部材(25)と共に凹部(23)の奥部に固定されることによって、張り材(５)の下面、すなわち筒状止着部(24)の近傍が凹部(23)の下縁に当接しつつ、張り材(５)の筒状止着部(24)は、凹部(23)の奥部の方（後方）に強制的に引っ張られ、張り材(５)は、所定の緊張状態をもって、背フレーム(４)及び下部フレーム(25)に張設される。このように、下部フレーム(22)を背フレーム(４)の側杆(11)にねじ(21)により固定した状態で、張り材(５)の筒状止着部(24)を、係合部材(25)と共に凹部(23)の奥部に固定することによって、張り材(５)を背フレーム(４)と下部フレーム(22)に緊張状態で張設させるようにした構成が、本発明における他の実施形態の緊張手段を構成する。
【００３１】
張り材(５)及び下部フレーム(22)が取り付けられた背フレーム(４)は、前記実施形態と同様に、下部フレーム(22)を介して、脚フレーム(２)の連結部(９)に固定される。
【００３２】
なお、この実施例においては、張り材(５)の筒状止着部(24)を下部フレーム(22)に固定する前に、下部フレーム(22)を背フレーム(4)の左右の側杆(11)に固定するようにした作業手順について説明したが、これに代えて、張り材(５)の筒状止着部(24)を下部フレーム(22)に固定した後に、下部フレーム(22)を背フレームの左右の側杆(11)に沿って下方に移動させ、左右の側杆(11)に固定するようにしても良い。
【００３３】
【発明の効果】
本発明によれば、次のような効果を奏することができる。
（ａ）請求項１記載の発明によると、張り材の筒状部に背フレームを挿通させた状態で、張り材の下端部を下部フレームに固定または係合して、下部フレームを下方に移動させた後に、下部フレームを左右の側杆に固定するだけの簡単な作業により、張り材を、弛みがない状態で、確実に背フレームに張設することができる。
【００３４】
（ｂ）請求項２記載の発明によると、請求項１の効果に加えて、張り材の筒状止着部を、ねじ等を用いることなく、下部フレームに簡単かつ確実に固定することができる。
【００３５】
（ｃ）請求項３記載の発明によると、請求項２の効果に加えて、張り材の筒状止着部及び係合部材が外部に露出することがないので、見栄えの向上を図ることができる。
【００３６】
（ｄ）請求項４記載の発明によると、張り材の筒状部に背フレームを挿通させた状態で、張り材の下端部を、下部フレームに固定するだけの簡単な作業により、張り材を弛みがない状態で、確実に背フレームに張設することができる。
【００３７】
（ｅ）請求項５記載の発明によると、請求項４の効果に加えて、張り材の筒状止着部を、下部フレームに強固に固定することができる。
【００３８】
（ｆ）請求項６記載の発明によると、請求項１〜５のいずれかの効果に加えて、通気性に優れた背凭れとすることができる。
【図面の簡単な説明】
【図１】本発明の一実施形態を備える椅子を斜め前方から見た椅子の斜視図である。
【図２】同じく、背凭れの各組み付け作業工程を示す斜め後方から見た背凭れの斜視図である。
【図３】同じく、背凭れの各組み付け作業工程を示す斜め後方から見た背凭れの斜視図である。
【図４】同じく、背凭れの各組み付け作業工程を示す斜め後方から見た背凭れの斜視図である。
【図５】同じく、斜め前方から見た図４におけるＡ部の拡大図である。
【図６】同じく、背凭れの各組み付け作業工程を示す下部フレームにおける中央部分の縦断面図である。
【図７】同じく、背凭れの各組み付け作業工程を示す下部フレームにおける中央部分の縦断面図である。
【図８】同じく、背凭れの各組み付け作業工程を示す下部フレームにおける中央部分の縦断面図である。
【図９】同じく、背凭れの各組み付け作業工程を示す下部フレームにおける中央部分の縦断面図である。
【図１０】本発明の他の実施形態に係わる背凭れの各組み付け作業工程を示す斜め後方から見た背凭れの斜視図である。
【図１１】同じく、背凭れの各組み付け作業工程を示す斜め後方から見た背凭れの斜視図である。
【図１２】同じく、背凭れの各組み付け作業工程を示す斜め前方から見た背凭れの斜視図である。
【図１３】同じく、背凭れの各組み付け作業工程を示す斜め前方から見た要部の斜視図である。
【図１４】同じく、背凭れの各組み付け作業工程を示す下部フレームにおける中央部分の縦断面図である。
【図１５】同じく、背凭れの各組み付け作業工程を示す下部フレームにおける中央部分の縦断面図である。
【図１６】同じく、背凭れの各組み付け作業工程を示す下部フレームにおける中央部分の縦断面図である。
【符号の説明】
(１)椅子
(２)脚フレーム
(３)下部フレーム
(４)背フレーム
(５)張り材
(5a)背支持面
(６)座部
(７)脚部
(８)肘掛け部
(９)連結部
(10)連結杆
(11)側杆
(12)横杆
(13)筒状部
(14)筒状止着部（下端部）
(15)固定部
(15a)ねじ孔
(16)ねじ
(17)嵌合孔
(18)スリット
(19)凹部
(19a)係合段部
(20)係合部材
(21)ねじ（固定手段）
(22)下部フレーム
(23)凹部
(24)筒状止着部（下端部）
(24a)孔
(25)係合部材
(25a)孔
(26)ねじ
(27)ナット
【図１】
0004109441.tif 000002
【図２】
0004109441.tif 000003
【図３】
0004109441.tif 000004
【図４】
0004109441.tif 000005
【図５】
0004109441.tif 000006
【図６】
0004109441.tif 000007
【図７】
0004109441.tif 000008
【図８】
0004109441.tif 000009
【図９】
0004109441.tif 000010
【図１０】
0004109441.tif 000011
【図１１】
0004109441.tif 000012
【図１２】
0004109441.tif 000013
【図１３】
0004109441.tif 000014
【図１４】
0004109441.tif 000015
【図１５】
0004109441.tif 000016
【図１６】
0004109441.tif 000017